(57)【特許請求の範囲】
【請求項１】
両側面中央に貫通した開口部を有すると共に一方の側面に回転軸を有する独楽と、一方の側面から前記開口部に差し込み可能としたジョイント片と、他方の側面から前記開口部に差し込み可能としたジョイント片で構成され、両ジョイント片が前記開口部の内部で嵌合するようにし、前記各ジョイント片と連繋される環状の紐を備えたことを特徴とするジョイント機構を備えた独楽。
【請求項２】
独楽の外周形状を多面体としたことを特徴とする請求項１に記載のジョイント機構を備えた独楽。
【請求項３】
独楽の外周中心部の形状を円形とし、外周両側部を多角形として、円形の中心部に対し多角形の両側部を若干低めの高さで形成したことを特徴とする請求項２に記載したジョイント機構を備えた独楽。
【発明の詳細な説明】
【０００１】
【発明の属する技術分野】
本発明は、着脱自在なジョイント機構を備えた独楽に関するものである。
【０００２】
【従来の技術】
いわゆるぶんぶんとして、図１に示すような商品が存在する。これは、中空の独楽１の中心部に２本の紐２ａ・２ｂを通し、これらの紐の両先端部を環状の把手３の内側で結んだ構成からなる。そして、独楽１は２分割された半球体１ａ・１ｂからなり、各半球体の外周面には対応する位置に複数の孔が穿設されている。遊戯者は、両手の人差し指を各把手３に引っ掛け、独楽１を外側へブンブンと力強く回すと、複数の孔の作用でピューピューと笛を吹いたような音がする。また、図２に示すような商品も存在する。これは最初に説明したぶんぶんを改良したものである。すなわち、笛の音出し機構に、独楽の回転中に光を発する機構を加えたものである。その構造は、独楽１が２分割された着色透明な半球体１ａ・１ｂからなり、独楽１の中心部に２本の紐２ａ・２ｂを通し、これらの紐の両先端部を把手３の取付部に結んで取り付けてある。一方の半球体１ａの内側には電池４が内蔵してあり、電池４のプラス側はリブ４ａに配設した金属片４ｂに接触してある一方、マイナス側は一対の軸４ｃ・４ｃの外側に配設したスイッチ片４ｄに接触してある。スイッチ片４ｄの先端部には光源５のマイナス側は導線５ｂを介してスイッチ６に接続してあり、プラス側は同様に導線５ａを介して金属片４ｂに接続してある。また他方の半球体１ｂの外周面には音を発する開口部７が設けてある。このような構造のもとで、遊戯者は両手で把手３を持ち、独楽１を外側へブンブンと力強く回すと、ピューピユーと笛を吹いたような音がすると共に、独楽１の回転運動によりスイッチ片４ｄがスイッチ６に接触したり離れたりして、光源５が点滅して光を発する。
【０００３】
【発明が解決しようとする課題】
これらの独楽は、いずれも独楽を回転させた時に生じる紐のねじりを戻す力を利用して遊ぶものである。しかしながら、前者の独楽は、独楽が回転しながらピューピューと音を出すだけの単純なもので、幼児向けおもちゃとしては十分だが、小学生にはすぐに飽きてしまうものである。他方後者の独楽は、独楽が回転しながらピューピューと音を出すと共に独楽１が発光するので、暗い場所で遊ぶと独楽が綺麗に回転している感を呈し、前者の独楽に比べて遊戯者には興趣あるおもちゃである。ところで、遊戯者が小学生以上となると、単純な遊びでは満足が行かず、バトルとかシューティングというゲーム性のある独楽が要求される。
【０００４】
本発明は、このような遊戯者の要求を満足させるもので、回転力のついた独楽でバトルゲームやシューティングゲームを行えるように、着脱自在なジョイント機構を備えた独楽を提供することを目的とする。
【０００５】
【課題を解決するための手段】
請求項１記載のジョイント機構を備えた独楽は、両側面中央に貫通した開口部を有すると共に一方の側面に回転軸を有する独楽と、一方の側面から前記開口部に差し込み可能としたジョイント片と、他方の側面から前記開口部に差し込み可能としたジョイント片で構成され、両ジョイント片が前記開口部の内部で嵌合するようにし、前記各ジョイント片と連繋される環状の紐を備えたことを特徴とする。独楽の側面に模様とか図柄を施しておくこともできる。このように構成することにより、遊戯者は奇麗に回転する独楽を観賞することができる。
【０００６】
請求項２記載のジョイント機構を備えた独楽は、請求項１記載のジョイント機構を備えた独楽において、独楽の形状を多面体としたことを特徴とする。独楽の外周面の形状を多面体とすることにより、遊戯者がバトルゲームをする時には、多面体の角部で相手方の独楽を鋭く弾き飛ばすことができる。ここに言う多面体には、四角形、五角形、六角形等いずれをも含む。多面体の数を増やすことにより、バトルゲームのゲーム性を高めることができる。
【０００７】
請求項３記載のジョイント機構を備えた独楽は、請求項２記載のジョイント機構を備えた独楽において、独楽の外周中心部の形状を円形とし、外周両側部を多角形としたことを特徴とする。円形の中心部に対し、多角形の両側部をやや低めの高さで形成する。このように構成することにより、独楽が回転走行する際に問題がないばかりでなく、バトルゲームを行う際にも多面体の角部で相手方の独楽を鋭く弾き飛ばすことができる。
【０００８】
【発明の実施の形態】
本発明は、着脱自在なジョイント機構を独楽の両側面中央部に取り付けた構成からなるので、遊戯者が回転している独楽を鉛直方向へ両把手を引っ張ってジョイントを外すと独楽として回転する。また、遊戯者がこの独楽を水平方向へジョイントを外すと回転走行体として走行する。
【０００９】
【実施例】
以下、図面に基いて本発明の実施例を詳細に説明する。図３は、本発明の独楽にジョイント機構のみを取り付けた状態を示す斜視図である。従来の独楽と大きく異なるのは、ブンブン回転する独楽に着脱自在なジョイント機構を取り付けてある点である。このジョイント機構を独楽に取り付けることにより、遊戯者は独楽としても回転走行体としても遊ぶことができる。図３において、独楽１の形状はタイヤ形状の円形であり、２分割された半球体１ａ・１ｂからなり、半球体１ｂの側面中心部には独楽として回転するための軸８が取り付けてある。独楽１の外周面には開口部９が設けてあり、独楽を回転させた時にピューピューと笛を吹いたような音がする。
【００１０】
図４は、本発明の独楽にジョイント機構のみを取り付けた状態を示す中央横断面図である。２分割された半球体１ａ・１ｂの側面中央部にはそれぞれ開口部１ｃ・１ｄが設けられており、凸状のジョイント片１０が開口部１ｃから挿入され、凹状のジョイント片１１がもう一方の開口部１ｄから挿入されるよう構成されている。そして、凸状のジョイント片１０と凹状のジョイント片１１は、図４に示すように独楽１の内側中心部で嵌合される。すなわち、凸状のジョイント片１０は鍵型の形状からなり、その先端両角部には切欠き部１０ａ・１０ｂが形成されており、凹状のジョイント片１１との嵌合を容易にしている。また、その先端中央部には長手方向に弾性力を保持するための切欠き部１０ｃが形成されていると共に、先端両側にはストッパーの役割をする凹部１０ｄ・１０ｅがそれぞれ形成されている。他方の凹状のジョイント片１１は、その先端部から長手方向に先細な楕円形状の切欠き部１１ａが形成されていると共に、切欠き部１１ａの両先端にはストッパーの役割をする突起１１ｂ・１１ｃが一体形成されている。各ジョイント片の形状はこれに限定されるものではなく、例えば、凸状のジョイント片１０の先端を円形にすれば、もう一方の凹状のジョイント片の先端も円形となる。また、両ジョイント片をＣ字型に形成し、それらの真ん中部分を狭めることにより別のジョイント機構を得ることができる。この場合、独楽の側面中央部に設けた開口部１ｃ・１ｄのいずれか一方を９０°位相を設けて、Ｃ字型のジョイント片を嵌合する。このように２つのジョイント片を形成することにより、着脱自在な独楽のジョイント機構を容易に構成することができる。
【００１１】
図５は、本発明の独楽のジョイント機構を示す斜視図である。凸状のジョイント片１０は、図５に示すようにもう一方の凹状のジョイント片１１の切欠き部１１ａに３分の１程度挿入すれば充分である。回転している独楽１から２つのジョイント片を外側に引っ張る際に、切欠き部１０ｃが内側に狭まることにより、ジョイント片を容易に引き離すことができる。
【００１２】
図６は、本発明の独楽のジョイント機構に把手を有する紐を結んだ状態を示す斜視図である。紐２ａは、図６に示すように一方の先端がジョイント片１０の孔１０ｆに通され、他方の先端が把手３の紐取付け部３ａに結ばれている。紐２ｂも同様に一方の先端がジョイント片１１の孔１１ｄに通され、他方の先端が把手３の紐取付け部３ｂに結ばれている。また、各把手は紐取付け部３ａ・３ｂとの間に防御板１２・１３をそれぞれ一体に形成してある。この防御板は、遊戯者への安全機構であり独楽に回転力を与えるために紐にねじりを戻すときの力を付ける際、回転している独楽の各ジョイント片が両手に当たらないようにするためである。紐２ｂに取り付けてある目印１４は、紐２ｂの回転方向を知るためのものである。目印１４の一面を着色しておけば、独楽１の回転方向を容易に知ることができるので、遊戯者は独楽に回転力を付けている際に目印１４を見ながら、独楽１の回転走行する方向を知ることができる。
【００１３】
以上が本発明の実施例の説明であるが、独楽１のサイズを大・中・小と各種設けてもよい。これにより、バトルゲーム、シューティングゲームの遊びを広げることができる。
【００１４】
本発明は、以上説明したような形態で実施され、次のような効果を奏する。
【００１５】
本発明のジョイント機構を備えた独楽は、回転している独楽を鉛直方向へジョイントを解除すると、回転する独楽として遊ぶことができる。そして、独楽の外周形状を多面体に形成することにより、バトルゲームをする際に相手方の独楽を力強く弾き飛ばすことができる。
【００１６】
また、本発明のジョイント機構を備えた独楽は、回転している独楽を水平方向へジョイントを解除すると、回転走行体として遊ぶことができる。遊戯者が力強くジョイントを解除すると、独楽が弾んで回転走行し標的に対してシューティングゲームとして遊ぶことができる。
【図面の簡単な説明】
【図１】  従来のぶんぶんの縦断面図を示した図である。
【図２】  従来の他のぶんぶんの分解斜視図を示した図である。
【図３】  本発明の独楽にジョイント機構のみを取り付けた状態を示す斜視図である。
【図４】  本発明の独楽にジョイント機構のみを取り付けた状態を示す中央横断面図である。
【図５】  本発明の独楽のジョイント機構を示す斜視図である。
【図６】  本発明の独楽のジョイント機構に把手を有する紐を結んだ状態を示す斜視図である。
【符号の説明】
１              独楽
１ａ，１ｂ      半球体
１ｃ，１ｄ      開口部
２ａ，２ｂ      紐
３              把手
３ａ，３ｂ      紐取付け部
４              電池
４ａ            リブ
４ｂ            金属片
４ｃ            一対の軸
４ｄ            スイッチ片
５              光源
５ａ            導線
６              スイッチ
７              開口部
８              軸
９              開口部
１０            凸状のジョイント片
１０ａ，１０ｂ  切欠き部
１０ｃ          切欠き部
１０ｄ，１０ｅ  凹部
１０ｆ          孔
１１            凹状のジョイント片
１１ａ，        切欠き部
１１ｂ，１１ｃ  突起
１１ｄ          孔
１２，１３      防御板
１４            目印
【図１】
0003801369.tif 000002
【図２】
0003801369.tif 000003
【図３】
0003801369.tif 000004
【図４】
0003801369.tif 000005
【図５】
0003801369.tif 000006
【図６】
0003801369.tif 000007